(57)【要約】【課題】コンセントにおいて温度計測対象の温度計測を精度よく行うことができる温度センサ取付構造を提供する。【解決手段】差込プラグが挿抜されるコンセントにおける温度計測対象５２に対して温度センサ５４を取り付ける温度センサ取付構造であって、温度センサ５４と、温度計測対象５２に対して密接させるように温度センサ５４を押圧するクリップ５６とを備える。【選択図】図１１
2019175837.tif 000002
【特許請求の範囲】
【請求項１】
差込プラグが挿抜されるコンセントにおける温度計測対象に対して温度センサを取り付ける温度センサ取付構造であって、
温度センサと、
前記温度計測対象に対して密接させるように前記温度センサを押圧する押圧部材と、を備える、
コンセントの温度センサ取付構造。
【請求項２】
前記押圧部材は、前記温度センサと前記温度計測対象とを挟持して押圧するクリップであり、前記クリップは一対の挟持片と、各挟持片を連結する連結部とを一体に有する、請求項１に記載のコンセントの温度センサ取付構造。
【請求項３】
前記温度センサと前記温度計測対象との間に熱伝導部材が介在されている、請求項１又は２に記載のコンセントの温度センサ取付構造。
【請求項４】
前記温度計測対象は、コンセントに外部電源線が接続される端子板の一部分であるか、差込プラグが挿抜される刃受部材の一部分であるかの少なくとも何れかである、請求項１〜３のいずれか一項に記載のコンセントの温度センサ取付構造。
【請求項５】
前記温度計測対象は、ボディ部材に収納された刃受部材の一部分であって、前記ボディ部材は前記温度センサの載置部を有し、
前記刃受部材を前記ボディ部材に収納し、かつ、前記温度センサを載置部に載せた状態で前記ボディ部材の外側から挿入された前記クリップで前記刃受部材の一部分と前記温度センサとを挟持してなる、請求項２に記載のコンセントの温度センサ取付構造。
【請求項６】
前記ボディ部材を収納するケースとカバー部材とを備え、
前記カバーの内面における前記クリップとの対向位置に前記クリップを押さえる突起部が設けられている、請求項５に記載のコンセントの温度センサ取付構造。
【請求項７】
前記温度センサはサーミスタ、測温抵抗体、及び熱電対の何れかであり、前記押圧部材はサーミスタ、測温抵抗体、及び熱電対の何れかを前記温度計測対象に密接させる、請求項１〜６のいずれか一項に記載のコンセントの温度センサ取付構造。
【請求項８】
差込プラグが挿抜されるコンセントにおける温度計測対象に対して温度センサを取り付ける温度センサ取付構造の生産方法であって、
温度センサを前記温度計測対象に接触させて配置し、
前記温度センサを前記温度計測対象に対して密接させるように前記温度センサを押圧する押圧部材を設ける、
コンセントの温度センサ取付構造の生産方法。
【請求項９】
前記押圧部材は、前記温度センサと前記温度計測対象とを挟持して押圧するクリップであり、前記クリップは一対の挟持片と、各挟持片を連結する連結部とを一体に有する、請求項８に記載のコンセントの温度センサ取付構造の生産方法。
【請求項１０】
前記温度センサと前記温度計測対象との間に熱伝導部材を介在させる、請求項８又は９に記載のコンセントの温度センサ取付構造の生産方法。
【請求項１１】
前記温度計測対象は、コンセントに外部電源線が接続される端子板の一部分であるか、差込プラグが挿抜される刃受部材の一部分であるかの少なくとも何れかである、請求項８〜１０のいずれか一項に記載のコンセントの温度センサ取付構造の生産方法。
【請求項１２】
前記温度計測対象は、ボディ部材に収納された刃受部材の一部分であって、前記ボディ部材は前記温度センサの載置部を有し、
前記刃受部材を前記ボディ部材に収納し、
前記温度センサを載置部に載せ、
前記ボディ部材の外側から前記クリップを挿入して、前記クリップで前記刃受部材の一部分と前記温度センサとを挟持する、請求項９に記載のコンセントの温度センサ取付構造の生産方法。
【請求項１３】
前記ボディ部材をケースに収納し、
前記ケースにカバー部材を取り付け、
前記カバーの内面における前記クリップとの対向位置に設けられた突起部で前記クリップを押さえる、請求項１２に記載のコンセントの温度センサ取付構造の生産方法。
【請求項１４】
前記温度センサはサーミスタ、測温抵抗体、及び熱電対の何れかであり、前記押圧部材はサーミスタ、測温抵抗体、及び熱電対の何れかを前記温度計測対象に密接させる、請求項８〜１３のいずれか一項に記載のコンセントの温度センサ取付構造の生産方法。
【発明の詳細な説明】
【技術分野】
【０００１】
本開示は、コンセントの温度センサ取付構造およびその生産方法に関する。
【背景技術】
【０００２】
従来、トラッキングによる温度上昇を検知するためにコンセントに温度センサを組み込んだ構成が知られている。
【０００３】
特許文献１には、電源コンセントの受け刃の間に温度センサを設け、この温度センサによって検出される温度が基準温度値より大きいときにブザーや照明などによって報知するとともに、ブレーカーなどによって電源コンセントへの電力供給を遮断することが記載されている。
【先行技術文献】
【特許文献】
【０００４】
【特許文献１】特開２００４−２２１７２号公報
【発明の概要】
【発明が解決しようとする課題】
【０００５】
特許文献１に記載されるコンセントでは、温度センサが封止樹脂によって覆われた状態で受け刃間に配置されているため、温度センサによる受け刃の温度検出精度が良好でないという課題がある。
【０００６】
本開示の目的は、コンセントにおいて温度計測対象の温度計測を精度よく行うことができるコンセントの温度センサ取付構造およびその生産方法を提供することにある。
【課題を解決するための手段】
【０００７】
本開示に係るコンセントの温度センサ取付構造は、差込プラグが挿抜されるコンセントにおける温度計測対象に対して温度センサを取り付ける温度センサ取付構造であって、温度センサと、温度計測対象に対して密接させるように温度センサを押圧する押圧部材とを備える。
【０００８】
また、本開示に係るコンセントの温度センサ取付構造の生産方法は、差込プラグが挿抜されるコンセントにおける温度計測対象に対して温度センサを取り付ける温度センサ取付構造の生産方法であって、温度センサを温度計測対象に接触させて配置し、温度センサを温度計測対象に対して密接させるように温度センサを押圧する押圧部材を設ける。
【０００９】
本開示に係るコンセントの温度センサ取付構造およびその生産方法によれば、コンセントにおいて温度計測対象の温度計測を精度よく行うことができる。
【図面の簡単な説明】
【００１０】
【図１】化粧カバーと共に設置されたコンセントの全体斜視図である。
【図２】コンセントの正面図である。
【図３】コンセント本体カバーおよびコンセント外側カバーを取り外した状態で示すコンセントの分解斜視図である。
【図４】コンセント本体カバーおよびコンセント外側カバーを取り外した状態で示すコンセントの正面図である。
【図５】図４に示すコンセントにおいて、ケースを取り外した状態で示す分解斜視図である。
【図６】図５に示すコンセントにおいて、ボディ部材と開閉ユニットハウジングを取り除いた状態を示す斜視図である。
【図７】開路状態にある開閉ユニットの側面図である。
【図８】閉路状態にある開閉ユニットの側面図である。
【図９】コンセントの端子部を一部分解状態で示す斜視図である。
【図１０】コンセントの温度センサ取付構造を示す斜視図である。
【図１１】図１０の温度センサ取付構造を示す一部切り欠き平面図である。
【図１２】刃受ばねブロックとボディ部材とを示す分解斜視図である。
【図１３】１つの刃受ばねブロックがボディ部材に組付けられた状態を示す斜視図である。
【図１４】１つの刃受ばねブロックとボディ部材とを示す分解斜視図である。
【図１５】端子部の一部を拡大して示す斜視図である。
【図１６】コンセントの温度センサ取付構造の別例を示す分解斜視図である。
【図１７】図１６の温度センサ取付構造の組立斜視図である。
【図１８】図１７の温度センサ取付構造を示す一部断面を含む平面図である。
【図１９】図１７の温度センサ取付構造においてクリップをカバー部材の突起部で押さえる様子を示す斜視図（一部透明部分を含む）である。
【発明を実施するための形態】
【００１１】
以下に、本開示に係る実施の形態について添付図面を参照しながら詳細に説明する。この説明において、具体的な形状、材料、数値、方向等は、本開示の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１２】
図１は、化粧カバーと共に設置されたコンセント１０の全体斜視図である。図２は、コンセント１０の正面図である。図１及び図２（他図でも同様）において、矢印Ｘは幅方向（または左右方向）を示し、矢印Ｙは前後方向（または奥行き方向）を示し、矢印Ｚは上下方向（または高さ方向）を示している。これらの３方向は互いに直交する。なお、これらの方向は例示であって、本開示に係るコンセントの構成を実質的に規定するものではない。
【００１３】
図１及び図２に示すように、コンセント１０は、前方から見た正面視で縦長の長形状をなす直方体に形成されている。コンセント１０の大きさは、ＪＩＳ規格に規定される寸法に形成されている。コンセント１０は、例えば、壁などに埋め込まれた状態で設置される。
【００１４】
コンセント１０の前面の周囲は、矩形枠状をなす化粧カバー２が配置されている。化粧カバー２は、例えば、樹脂成型品で構成される。化粧カバー２は、コンセント１０の前面周囲に設けられることで、コンセント１０を壁に形成された穴や、この穴にコンセント１０を取り付けるための取付具（図示せず）を外部から見えなくして見栄えを良くするための部材である。
【００１５】
図３は、コンセント本体カバーおよびコンセント外側カバーを取り外した状態で示すコンセント１０の分解斜視図である。図１ないし図３に示すように、コンセント１０は、コンセント本体カバー（カバー部材）１２と、コンセント外側カバー（カバー部材）１４とを備える。コンセント本体カバー１２及びコンセント外側カバー１４はいずれも樹脂成型品によって構成される。
【００１６】
コンセント本体カバー１２は、コンセント１０の前面を覆って配置されている。コンセント本体カバー１２は、上部カバー１２ａ及び下部カバー１２ｂを含む。上部カバー１２ａは、後述するケース内に収納された刃受ばねブロックの前方を覆って設けられる。
【００１７】
上部カバー１２ａには、栓刃挿入部１８ａ，１８ｂが上下２段に配置されている。上段の栓刃挿入部１８ａには、差込プラグ（図示せず）の２つの板状栓刃が挿入される栓刃挿入口２０ａ，２０ｂが左右方向に並んで形成されている。また、下段の栓刃挿入部１８ｂには、差込プラグの２つの栓刃が挿入される栓刃挿入口２０ａ，２０ｂが左右方向に並んで形成されるとともに、栓刃挿入口２０ａ，２０ｂの間の下方位置に接地用の棒状端子が挿入される接地端子挿入口２０ｃが形成されている。本実施形態では、一方の栓刃挿入口２０ａの開口縁部が正面視で略Ｄ字型の枠状に形成され、他方の栓刃挿入口２０ｂの開口縁部が矩形枠状に形成されている例が示される。ただし、これに限定されるものではなく、各栓刃挿入口２０ａ，２０ｂの開口縁部は同じ形状に形成されてもよい。
【００１８】
コンセント本体カバー１２の一部を構成する下部カバー１２ｂは、ケース内に収納された端子部１００を覆って設けられる。下部カバー１２ｂの表面には「アース」及び「あける」の文字、接地を表すマークなどが付されている。下部カバー１２ｂは、上部カバー１２ａに対して着脱可能に取り付けられている。詳しくは、下部カバー１２ｂに一体形成されている２つの取付ピン１３を上部カバー１２ａに形成された取付穴１５に挿入することによって取り付けられる。下部カバー１２ｂをコンセント１０から取り外すことで端子部１００の接地用端子部が露出する。これにより、コンセント１０は、接地用外部電線を接続可能な状態になる。
【００１９】
コンセント外側カバー１４は、前方から見た正面視でコ字状をなす形状に形成され、コンセント本体カバー１２の上方、左側及び下方の三方外側に隣接して配置される。コンセント外側カバー１４は、後述する開閉ユニット７０の前面を覆って設けられる。コンセント外側カバー１４には、縦長の長方形状をなす開口部１４ａと、この開口部１４ａの上方に位置する円形の貫通孔１４ｂとが形成されている。開口部１４ａには、開閉ユニット７０の操作レバー７１が露出した状態で配置されている。また、貫通孔１４ｂの内側（すなわち後方）には、後述する基板に実装された押しスイッチが配置される。これにより、例えば細い棒状の工具やペンの先端などを貫通孔１４ｂに挿入することで、押しスイッチを押下することができる。また、押しスイッチは発光部を備えており、貫通孔１４ｂはこの発光部の点灯状態を外部から確認するための透光窓としても機能する。
【００２０】
コンセント外側カバー１４において貫通孔の１４ｂの上方には、「電源」及び「異常」の表示が付されている。表示「電源」の上の領域はコンセント１０の電源供給時に例えば緑色に点灯する電源灯部分１４ｃになっており、表示「異常」の上の領域はコンセント１０の異常発熱時に例えば赤色に点灯又は点滅する異常灯部分１４ｄになっている。なお、電源灯部分１４ｃ及び異常灯部分１４ｄはコンセント外側カバー１４の壁面を光が透過する透光部となっているが、それぞれ貫通孔からなる透光窓として形成されてもよい。
【００２１】
図４は、コンセント本体カバー１２及びコンセント外側カバー１４を取り外した状態で示すコンセント１０の正面図である。図５は、図４に示すコンセント１０において、ケース１６を取り外した状態で示す分解斜視図である。
【００２２】
コンセント１０は、ケース１６を備える。ケース１６は、例えば、樹脂成型品によって構成される。ケース１６は、図３及び図４に示すように、直方体状の外形をなし、後部に底面を有するとともに前方に開口した形状を有する。
【００２３】
図３及び図４に示すように、ケース１６の長辺方向に沿った外面には、係合部２２が突出して形成されている。係合部２２は、各側面に間隔をあけて２つずつ設けられている。これらの係合部２２にケース１６の前部に取り付けられるカバー部材１７のフック部１７ａ（図１９参照）が係合することによって、カバー部材１７がケース１６に取り付けられ、このカバー部材１７にコンセント本体カバー１２が取付けられる。
【００２４】
図５に示すように、ケース１６の底面２４には、２つの柱部２６が上下方向Ｚに間隔をあけて立設されている。これらの柱部２６と幅方向Ｘの一方側のケース内面２５ａとの間に、開閉ユニット７０を収容するための空間２８が区画されている。また、上記柱部２６と他方側のケース内面２５ｂとの間に、刃受ばねユニット４０及び基板１２０等を収容する空間３０が区画されている。
【００２５】
また、ケース１６の底面２４の下部には、前方から見た正面視でＬ字状をなす仕切り壁部２７が突出して形成されている。この仕切り壁部２７によって、ケース１６内において端子部１００が収納される空間３２が区画されている。
【００２６】
また、ケース１６の底面２４には、複数の支持突起部２９が突出して形成されている。これらの支持突起部２９の先端面によって、ケース１６内に収納された基板１２０が支持されている。
【００２７】
図６は、図５に示すコンセントにおいて、ボディ部材と開閉ユニットハウジングを取り除いた状態を示す斜視図である。図４ないし図６に示すように、コンセント１０は、刃受ばねユニット４０、開閉ユニット７０、及び、基板１２０を備える。また、コンセント１０は、接地用端子部１０２を備えてもよい。
【００２８】
刃受ばねユニット４０は、２つの刃受ばねブロック４２ａ，４２ｂと、これらの刃受ばねブロック４２ａ，４２ｂを支持するボディ部材４４と、刃受ばねブロック４２ａ，４２ｂをボディ部材４４に押さえ付けた状態で固定する固定部材４６とを含む。ボディ部材４４及び固定部材４６は、絶縁性の樹脂成型品によって好適に構成される。なお、刃受ばねブロック４２ａ，４２ｂは、ボディ部材４４に設けられた一対の爪部（図示せず）によって挟持されて保持又は固定されてもよい。
【００２９】
一方の刃受ばねブロック４２ａは、コンセント１０の端子部１００に接続される電圧相（以下、Ｌ相という。）の外部電源線と電気的に接続される端子部材である。他方の刃受ばねブロック４２ｂは、コンセント１０の端子部１００に接続される中性相（以下、Ｎ相という。）の外部電源線と電気的に接続される端子部材である。刃受ばねブロック４２ａ，４２ｂは、例えば、銅板等の金属板を打ち抜き及び折り曲げ等の加工を施すことによって製造される。
【００３０】
各刃受ばねブロック４２ａ，４２ｂは、同一形状のものを用いることができる。したがって、以下では一方の刃受ばねブロック４２ａの構成について主として説明し、他方の刃受ばねブロック４２ｂについては援用によって説明を適宜に省略する。
【００３１】
刃受ばねブロック４２ａは、２対の刃受ばね４８と、各刃受ばね４８を機械的に連結するとともに電気的に接続する連結部５０と、連結部５０の縁部から前後方向に沿って折り曲げ形成された接続端子部５２とを一体に有する。
【００３２】
Ｌ相用の刃受ばねブロック４２ａにおいて１対の刃受ばね４８は、上部カバー１２ａの上段の右側に形成された栓刃挿入口２０ａの内側に配置される。もう１対の刃受ばね４８は、上部カバー１２ａの下段の右側に形成された栓刃挿入口２０ａの内側に配置される（図２参照）。
【００３３】
Ｎ相用の刃受ばねブロック４２ｂにおいて１対の刃受ばね４８は、上部カバー１２ａの上段の左側に形成された栓刃挿入口２０ｂの内側に配置される。もう１対の刃受ばね４８は、上部カバー１２ａの下段の左側に形成された栓刃挿入口２０ｂの内側に配置される（図２参照）。
【００３４】
図６に示すように、Ｌ相用の刃受ばねブロック４２ａの接続端子部５２には、Ｌ相導線５４ａの一端がはんだ付け等によって接続されている。また、Ｎ相用の刃受ばねブロック４２ｂの接続端子部５２には、Ｎ相導線５４ｂの一端がはんだ付け等によって接続されている。Ｌ相導線５４ａおよびＮ相導線５４ｂは、例えば、絶縁被覆された編組銅線によって好適に構成される。Ｌ相導線５４ａおよびＮ相導線５４ｂの各他端は、開閉ユニット７０にそれぞれ接続されている。
【００３５】
また、刃受ばねブロック４２ａ，４２ｂの接続端子部５２には温度センサ５４がクリップ５６によってそれぞれ取り付けられている（図１１参照）。温度センサ５４の取付構造については後に詳述する。温度センサ５４は、刃受ばねブロック４２ａ，４２ｂの温度をそれぞれ計測して、その計測結果を信号線６０ａ，６０ｂを介して基板１２０に送信する。
【００３６】
基板１２０は、図示しないパターン配線が形成された回路基板である。基板１２０には、例えば、マイコンからなる制御装置が実装されている。制御装置は、温度センサ５４から送信される計測結果に基づいて、刃受ばねブロック４２ａ，４２ｂの温度が所定閾値を超えていないか否かを判定する。そして、制御装置は、刃受ばねブロック４２ａ，４２ｂの少なくとも一方の温度が所定閾値温度を超えたとき、コンセント１０が過熱状態であると判定し、後述する開閉ユニットに信号線６０ｃを介して作動信号を送信する。
【００３７】
ここで、所定閾値温度は、例えば、１００℃〜１５０℃に設定することができる。所定閾値温度は、コンセント１０のコンセント本体カバー１２やボディ部材４４を構成する樹脂材料の耐熱温度等に応じて設定され得るものである。また、所定閾値温度は、コンセント１０が使用される環境温度（または周囲温度）に応じて変更されてもよい。また、基板１２０には、ブザー装置が実装されてもよい。制御装置は、刃受ばねブロック４２ａ，４２ｂの少なくとも一方の温度が所定閾値温度を超えて過熱状態にあると判定されたとき、押しスイッチ１３２の発光部を点滅状態とするとともにブザー装置を鳴動させて、報知動作を行ってもよい。さらに、コンセント本体カバー１２等のカバー部材やボディ部材４４などを構成する樹脂材料として、例えば、メラミン樹脂、ユリア樹脂、ポリブチレンテレフタレート（ＰＢＴ）などが好適に用いられる。
【００３８】
図６に示すように、基板１２０の裏面からは、２本の信号線６２ａ，６２ｂが延出している。これらの信号線６２ａ，６２ｂを介して、温度センサ５４による計測結果や開閉ユニット７０の作動状態（オンオフ状態）を示す信号がコンセント１０の外部の電力制御装置や分電盤などに送信されてもよい。
【００３９】
なお、本実施形態では基板１２０は、コンセント１０の過熱状態を異常として検知する機能を備える例について説明するが、これに限定されるものでない。コンセントは、所定震度以上の地震を異常として検知したとき電力供給を遮断する感震検知機能を備えるものであってもよい。この場合、震度は基板上またはコンセント内部の他の部分に設置された例えば、ジャイロセンサ等の加速度を検知可能な感震センサによって構成されてもよい。感震センサは、基板上のパターン配線又は、信号線を介して、基板上の制御装置に接続される。制御装置は、感震センサからの入力に基づいて所定震度以上の地震であると判定されたとき、開閉ユニット７０に対して作動信号を出力する。また、本開示に係るコンセントは、このような感震検知機能と上述した過熱検知機能とを合わせて備えてもよいし、感震検知機能単独で備えてもよい。さらに、本開示に係るコンセントは、異常として漏電を検知したときに電流を遮断する漏電検知機能を上述した過熱や感震と組み合わせて或いは単独で備えてもよい。漏電を検知するためにコンセント内に電流センサを設け、刃受ばねブロックを流れる電流が所定閾値電流値を超えたときに開閉ユニットを作動させる構成とすればよい。
【００４０】
このような感震検知機能や漏電検知機能を備えたコンセントにおいても、基板以外のコンセント構成部品を共用することができ、コンセントの生産性が向上するとともに、製造コストを抑制することができる。
【００４１】
図６に示すように、コンセント１０は、スイッチ盤１３０を備える。スイッチ盤１３０には、押しスイッチ１３２が実装されている。押しスイッチ１３２は、コンセント外側カバー１４の貫通孔１４ｂの内側に配置されている（図１ないし図３参照）。これにより、貫通孔１４ｂを介してコンセント１０の外部から押しスイッチ１３２を押下操作することができる。スイッチ盤１３０は、基板１２０に信号線を介して接続されている。押しスイッチ１３２が押下操作されると、基板１２０から後述する開閉ユニット７０に作動信号が送信される。これにより、開閉ユニット７０が閉路状態から開路状態に切り替わり、押しスイッチ１３２は異常状態を示す点滅状態となる。このように押しスイッチ１３２を押下操作することで、コンセント１０が正常に作動するか否かをテストすることができる。また、押しスイッチ１３２を押下操作することで、過熱状態を報知するブザー装置を停止させることもできる。
【００４２】
スイッチ盤１３０には、電源灯発光部１３４および異常灯発光部１３６が実装されている。電源灯発光部１３４は、コンセント外側カバー１４の電源灯部分１４ｃの内側に対向して配置され、異常灯発光部１３６は、コンセント外側カバー１４の異常灯部分１４ｄの内側に対向して配置される（図２参照）。電源灯発光部１３４は、例えば、緑色に発光する発光ダイオード（ＬＥＤ）によって好適に構成される。異常灯発光部１３６は、例えば、赤色に発光する発光ダイオード（ＬＥＤ）によって好適に構成される。電源灯発光部１３４は、コンセント１０が電源供給状態にあるとき点灯される。異常灯発光部１３６は、後述するようにコンセント１０において異常発熱が検知されたときに点灯されるか又は点滅する。これらの発光部１３４，１３６の点灯状態がコンセント１０の外部から視認可能になっていることで、発光部１３４，１３６は報知部の一部を構成する。
【００４３】
次に、図７及び図８を参照して開閉ユニット７０について説明する。図７は、閉路状態にある開閉ユニット７０の側面図である。図８は、開路状態にある開閉ユニット７０の側面図である。図７及び図８において、開閉ユニット７０は、幅方向外側を覆うハウジングの壁面を取り除いた状態で示されている。
【００４４】
図７に示すように、開閉ユニット７０は、ハウジング７２を有する。ハウジング７２の前面には、操作レバー７１が露出した状態で回動可能に設けられている。
【００４５】
開閉ユニット７０は、ハウジング７２内に、コイル７３、可動鉄片７４、トリガーレバー７５、支持レバー７６、作動板７７、押圧ばね７８、作動部材７９、圧接ばね８０，８５、Ｌ相可動端子板８１及びＬ相可動端子部８２、Ｎ相可動端子板８３及びＮ相可動端子部８４、Ｌ相固定端子板８６及びＬ相固定端子部８７、並びに、Ｎ相固定端子板８８及びＮ相固定端子部８９を備える。
【００４６】
コイル７３は、基板１２０からの作動信号を受けて電力供給される。これにより、コイル７３は、磁力を発生する。可動鉄片７４は、ハウジング７２においてコイル７３の後方（図７中では下方）に近接する位置で前後方向Ｙへ移動可能に設けられている。可動鉄片７４は、Ｎ相可動端子板８３の一端部に固定されている。なお、Ｎ相可動端子板８３の一端には、Ｎ相導線５４ｂの他端がはんだ付け等によって電気的および機械的に接続されている。
【００４７】
トリガーレバー７５は、略Ｌ字状の形状をなし、ハウジング７２の幅方向側壁面に軸部７５ａを中心に回動可能に設けられている。トリガーレバー７５の一端部は、可動鉄片７４と係合可能な位置に配置されている。
【００４８】
支持レバー７６は、前後方向Ｙに延在する形状を有し、ハウジング７２の幅方向側壁面に軸部７６ａを中心に回動可能に設けられている。支持レバー７６の一端部は、トリガーレバー７５の他端部に係合可能な位置に配置されている。
【００４９】
作動板７７は、一端部が支持レバー７６の他端の上に当接して支持されている。作動板７７は、操作レバー７１に一端が連結されている略Ｕ字状の押圧ばね７８の他端が連結されており、この押圧ばね７８の押圧力によって一端部が支持レバー７６の他端上に圧接されている。
【００５０】
操作レバー７１の回動中心の周りには捻りばね９０が配置されている。後述するように開閉ユニット７０が作動して電力遮断状態になったとき、操作レバー７１は捻りばね９０の付勢力によって回動して、図８に示すようにコンセント１０の前面に突出した状態となる。
【００５１】
図７に示すように、作動部材７９は、支持レバー７６と作動板７７とに隣接して配置され、ハウジング７２の幅方向側壁に軸部７９ａを中心として回動可能に設けられている。作動部材７９の後端部（図７中の下端部）は圧接ばね８０によって付勢されている。これにより、作動部材７９は、圧接ばね８０によって、図７中の反時計回り方向に回動する方向に付勢されている。
【００５２】
作動部材７９は、前後方向Ｙの略中央部がＬ相可動端子板８１と係合可能に設けられている。Ｌ相可動端子板８１の一端には、Ｌ相導線５４ａの他端がはんだ付け等によって電気的および機械的に接続されている。また、Ｌ相可動端子板８１の他端にはＬ相可動端子部８２が例えばカシメ等によって固定されている。
【００５３】
Ｌ相可動端子板８１は、作動部材７９によって、圧接ばね８５の付勢力に抗して時計回り方向に回動した位置に押さえられている。これにより、後述するように作動部材７９が圧接ばね８０の付勢力によって反時計回り方向に回動したとき、Ｌ相可動端子板８１は作動部材７９による押さえが解放されることで、圧接ばね８５の付勢力によって押し上げられるようになっている。
【００５４】
また、作動部材７９は、Ｎ相可動端子板８３の中間部分を押さえ付けている。Ｎ相可動端子板８３の他端部には、Ｎ相可動端子部８４が例えばカシメ等によって固定されている。後述するように作動部材７９が反時計回り方向に回動したとき、Ｎ相可動端子板８３が作動部材７９の後端部（図７中の下端部）によって押し上げられてＮ相可動端子部８４が前方（図７中の上方）に移動するようになっている。
【００５５】
図７に示すように、Ｌ相可動端子部８２は、ハウジング７２内に配置されたＬ相固定端子部８７に当接して電気的に接続されている。Ｌ相固定端子部８７は、Ｌ相固定端子板８６の一端部に例えばカシメ等によって固定されている。Ｌ相固定端子板８６はハウジング７２の外部に延出している。
【００５６】
Ｎ相可動端子部８４は、ハウジング７２内に配置されたＮ相固定端子部８９に当接して電気的に接続されている。Ｎ相固定端子部８９は、Ｎ相固定端子板８８の一端部に例えばカシメ等によって固定されている。Ｎ相固定端子板８８はハウジング７２の外部に延出している。
【００５７】
上記のように構成される開閉ユニット７０では、基板１２０からの作動信号によってコイル７３に電力供給されると、図８に示すように、可動鉄片７４がコイル７３の磁力によって吸着されて矢印Ａ方向に移動する。
【００５８】
そうすると、トリガーレバー７５が可動鉄片７４によって一端部が押されることで時計回り方向に回動し、これに伴って支持レバー７６がトリガーレバー７５の他端部によって押されることで反時計回り方向に回動する。
【００５９】
そうすると、支持レバー７６の上端に支持されていた作動板７７の一端部が外れることで、作動板７７は押圧ばね７８の押圧力によって後方（図８中の下方）に傾斜した状態に押し込まれる。このとき、操作レバー７１は、押圧ばね７８の反力と捻りばね９０の付勢力によって、コンセント１０の前面に端部が突出した状態に回動する。
【００６０】
作動板７７の支持レバー７６による支持が外れたことで、作動板７７によって時計回り方向に押されて支持されていた作動部材７９が、圧接ばね８０の付勢力によって反時計回り方向に回動する。これにより、圧接ばね８５の付勢力によってＬ相可動端子板８１が移動し、Ｌ相可動端子部８２がＬ相固定端子部８７から離間する。これと同時に、反時計回り方向に回動する作動部材７９によって押されることで、Ｎ相可動端子板８３が持ち上げられるように移動する。これにより、Ｎ相可動端子部８４がＮ相固定端子部８９から離間する。このようにＬ相可動端子部８２及びＮ相可動端子部８４がＬ相固定端子部８７及びＮ相固定端子部８９からそれぞれ離間することで、開閉ユニット７０は閉路状態から開路状態に切り替わる。その結果、刃受ばねブロック４２ａ，４２ｂへの電力供給が遮断され、コンセント１０から差込プラグを介して負荷に供給される電力がオフされることになる。異常状態が解除されて、操作レバー７１が図８に示す状態から図７に示す状態に手動操作で戻されると、開閉ユニット７０の内部の各構成部材も図８に示す状態から図７に示す状態に復帰し、開路状態から閉路状態に戻すことができる。
【００６１】
なお、開閉ユニット７０は、上述した構成のものに限定されず、公知の如何なる構成の電路遮断機構を用いてもよい。
【００６２】
図９は、コンセント１０の端子部１００を一部分解状態で示す斜視図である。コンセント１０は、端子部１００を備える。端子部１００は、外部電源線が電気的及び機械的に接続される接続部である。
【００６３】
端子部１００は、Ｌ相固定端子板８６、Ｎ相固定端子板８８、錠ばね９２，９４、及び、解錠部材９６を備える。Ｌ相固定端子板８６は、開閉ユニット７０のハウジング７２から延出した他端部にＵ字状に折り曲げられたＬ相接続部８６ａを有する。Ｎ相固定端子板８８は、開閉ユニット７０のハウジング７２から延出した他端部にＵ字状に折り曲げられたＮ相接続部８８ａを有する。各接続部８６ａ，８８ａの内側には、錠ばね９２，９４がそれぞれ配置されている。これにより、各接続部８６ａ，８８ａは、後方からＬ相およびＮ相の外部電源線の接続端子をそれぞれ挿入することで、迅速に接続可能ないわゆる速結端子となっている。
【００６４】
解錠部材９６は、押し込み操作することで、錠ばね９２，９４を各相接続部８６ａ，８８ａから離間させることができ、その結果、Ｌ相およびＮ相の外部電源線の接続端子を接続部８６ａ，８８ａから取り外すことができる。
【００６５】
また、端子部１００は、接地用端子部１０２を備える。接地用端子部１０２は、例えば、銅板等の金属板をパンチ加工および折り曲げ加工して形成された接地用端子板１０４を含む。接地用端子板１０４の一端部には、ねじ１０５が螺合されており、このねじ１０５を用いて接地用外部電線を接地用端子部１０２に接続することができる。接地用端子板１０４の他端には接地用刃受ばね１０６が形成されている。この接地用刃受ばね１０６はコンセント本体カバー１２の上部カバー１２ａの下段に形成された接地端子挿入口２０ｃの内側に配置されている。これにより、接地端子挿入口２０ｃから挿入された差込プラグの接地用端子が接地用端子板１０４に接続されるようになっている。
【００６６】
図１０は、コンセントの温度センサ取付構造を示す斜視図である。図１１は、図１０の温度センサ取付構造を示す一部切り欠き平面図である。図１２は、刃受ばねブロック４２ａ，４２ｂとボディ部材４４とを示す分解斜視図である。図１０ないし図１２において、刃受ばねユニット４０を構成する固定部材４６の図示が省略されている。
【００６７】
図１０ないし図１２に示すように、刃受ばねユニット４０は、Ｌ相用の刃受ばねブロック４２ａと、Ｎ相用の刃受ばねブロック４２ｂと、これらの刃受ばねブロック４２ａ，４２ｂを支持するボディ部材４４とを備える。各刃受ばねブロック４２ａ，４２ｂは、刃受ばねユニット４０の幅方向中心線であるＢ−Ｂ線に対して対称な形状を有する。以下では、刃受ばねブロック４２ａについて説明するが、刃受ばねブロック４２ｂについても同様である。
【００６８】
刃受ばねブロック４２ａは、２対の刃受ばね４８と、各刃受ばね４８を機械的に連結するとともに電気的に接続する連結部５０と、連結部５０の縁部から前後方向Ｙに沿って折り曲げ形成された接続端子部５２とを一体に有する。そして、接続端子部５２には、温度センサ５４が取り付けられている。
【００６９】
本実施形態では、温度センサ５４は、押圧部材の一例であるクリップ５６によって挟持されて固定されている。これにより、温度センサ５４が温度計測対象である刃受ばねブロック４２ａに密接して配置されている。クリップ５６は、一対の挟持片５６ａと各挟持片５６ａを連結する連結部５６ｂとを一体に有する。
【００７０】
このように温度センサ５４がクリップ５６によって挟持されることで温度計測対象である接続端子部５２に密接した状態で取り付けられる。これにより、温度センサ５４による温度計測精度が向上する。また、温度センサ５４をクリップ５６で接続端子部５２に取り付けた状態で刃受ばねブロック４２ａ，４２ｂをボディ部材４４に容易に組み付けることができる。
【００７１】
温度センサ５４は、サーミスタ、測温抵抗体、及び熱電対の何れかで構成されるのが好適であり、この場合、クリップ５６は、サーミスタ、測温抵抗体、及び熱電対の何れかを温度計測対象である接続端子部５２に密接させて取り付けている。また、温度センサ５４と接続端子部５２との間に熱伝導部材が介在されてもよい。熱伝導部材は、例えば、熱伝導性を有するシートやグリスなどの柔軟で薄い部材で構成されるのが好ましい。このような熱伝導部材を設けることで、温度センサ５４が温度計測対象により密接した状態になりやすく、温度計測精度の向上に寄与することができる。
【００７２】
なお、本実施形態では、温度センサ５４を押圧して温度計測対象である接続端子部５２に密接させるための押圧部材としてクリップ５６を用いた例を挙げたが、これに限定されるものではない。クリップ５６に代えて、コイルばね、板ばね等の付勢部材を用いて温度センサを温度計測対象に押圧してもよい。
【００７３】
図１３は、１つの刃受ばねブロック４２ａがボディ部材４４に組付けられた状態を示す斜視図である。図１４は、１つの刃受ばねブロック４２ａとボディ部材４４とを示す分解斜視図である。なお、図１３及び図１４において、温度センサ５４及びクリップ５６の図示が省略されている。
【００７４】
図１３及び図１４に示すように、刃受ばねブロック（刃受部材）４２ａは、２対の刃受ばね４８と、各刃受ばね４８を機械的に連結するとともに電気的に接続する連結部５０と、連結部５０の縁部から前後方向Ｙに沿って折り曲げ形成された接続端子部５２とを一体に有する。刃受ばね４８は互いに対向する１対の刃受片を含む。各刃受片の先端は、略Ｖ字状に開くように外側へそれぞれ屈曲されている。これにより差込プラグの栓刃を１対の刃受片の間に確実に受け入れるようになっている。
【００７５】
また、刃受ばねブロック４２ａは、１対の刃受片を含む刃受ばね４８の両側に離間して設けられたＵ字状の屈曲ばね部４９を一体に有している。屈曲ばね部４９は、一対の刃受片の先端部と同じ側に屈曲部４９ａを有するとともに屈曲部４９ａから一対の刃受片の基端部側へ向かって延伸する一対の延伸部４９ｂを有している。
【００７６】
刃受ばねブロック４２ａは、ボディ部材４４に収納されて配置される。ボディ部材４４は、４つの凹部４５を区画するように形成されている。凹部４５を区画する内壁面のうち、幅方向Ｘの中央側に位置する壁面には２つのリブ４７ａが間隔をあけて且つ前後方向Ｙに延伸して形成されている。これらのリブ４７ａによってボディ部材４４の強度を増大させることができる。
【００７７】
また、凹部４５を区画する内壁面のうち、上下方向Ｚに対向する内壁面にはリブ４７ｂがそれぞれ対向して形成されている。これらのリブ４７ｂは、図１３に示すように、刃受ばねブロック４２ａがボディ部材４４に組み付けられたとき、刃受ばね４８の上下方向Ｚの両側に位置する屈曲ばね部４９の一対の延伸部４９ｂによって挟持された状態になっている。また、屈曲ばね部４９の屈曲部４９ａは、リブ４７ｂの端部に当接している。
【００７８】
このように屈曲ばね部４９の屈曲部４９ａがボディ部材４４に形成されたリブ４７ｂの端部に当接して組み付けられることで、刃受ばねブロック４２ａをボディ部材４４に対して正確に位置決めした状態に組み付けることができる。また、屈曲ばね部４９の一対の延伸部４９ｂがリブ４７ｂを挟持した状態となることで、刃受ばねブロック４２ａをボディ部材４４に対して強固に組み付けることができる。
【００７９】
また、コンセント１０に挿抜される差込プラグに幅方向Ｘへの力が作用すると、一対の刃受片が異常に開くように塑性変形してしまって、栓刃と刃受片との接触圧が弱くなることがある。そうすると、接触不良による火花放電等が生じて、異常過熱の原因となることがある。これに対し、本実施形態のコンセント１０では、刃受ばね４８と一体に形成された屈曲ばね部４９にリブ４７ｂが挟持されていることで、上記のような開き力が作用しても一対の刃受片からなる刃受ばね４８が異常に開き変形するのを防止または抑制することができる。
【００８０】
なお、本実施形態では凹部４５の上下方向Ｚに対向する２つの内壁面にリブ４７ｂをそれぞれ形成して屈曲ばね部４９で挟持する例について説明したが、これに限定されるものではない。凹部４５の前後方向Ｙの内壁面（すなわち凹部４５の底面）に突出形成されたリブを屈曲ばね部４９の一対の延伸部で挟持してもよいし、または、この底面に突出形成したリブを一対の刃受片の基端部（すなわち先端部とは反対側の端部）によって挟持する構成としてもよい。
【００８１】
図１５は、端子部の一部を拡大して示す斜視図である。図１５に示すように、温度計測用のプリント基板１１０を備えてもよい。プリント基板１１０には、温度センサ１１２ａ，１１２ｂが実装されている。温度センサ１１２ａ，１１２ｂは、例えば、サーミスタ、測温抵抗体、及び熱電対の何れかによって好適に構成される。温度センサ１１２ａ，１１２ｂは、熱伝導部材によって被覆されてプリント基板１１０上に設けられてもよい。この場合、温度センサ１１２ａ，１１２ｂは、熱伝導部材を介して温度計測対象であるＬ相固定端子板８６、及び、Ｎ相固定端子板８８に接合されている。熱伝導性部材は、熱伝導性を有する柔軟性樹脂であることが好ましい。これにより、温度センサ１１２ａ，１１２ｂがより密接に温度計測対象に接触し、温度計測精度を高めることができる。また、温度計測対象であるＬ相固定端子板８６とＮ相固定端子板８８との間の電気的絶縁をより確実なものにするため、熱伝導部材は絶縁性樹脂であることが好ましい。具体例として、熱伝導部材は、低硬度のアクリル樹脂を用いることができ、例えば、３Ｍ社製のハイパーソフト放熱シート（登録商標）６５００Ｈ，６５１０Ｈ，５５７８Ｈなどを用いることができる。
【００８２】
プリント基板１１０に実装された温度センサ１１２ａはＬ相固定端子板８６に接合されて設けられ、プリント基板１１０に実装された温度センサ１１２ｂはＮ相固定端子板８８に接合されて設けられる。そして、温度センサ１１２ａによって計測されたＬ相固定端子板８６の温度は信号線１１４ａを介して基板１２０に送信される。また、温度センサ１１２ｂによって計測されたＮ相固定端子板８８の温度は信号線１１４ｂを介して基板１２０に送信される。
【００８３】
基板１２０に設けられた制御装置は、温度センサ１１２ａ，１１２ｂで計測された固定端子温度が所定閾値温度を超えていないか否かを判定する。そして、制御装置は、固定端子板８６，８８の少なくとも一方の温度が所定閾値温度を超えたとき、コンセント１０が過熱状態であると判定し、開閉ユニット７０に信号線６０ｃを介して作動信号を送信する。これにより、開閉ユニット７０が作動して開路状態となり、刃受ばねブロック４２ａ，４２ｂへの電力供給が遮断される。ここでの所定閾値温度は、上述した刃受ばねブロック４２ａ，４２ｂの温度センサ５４によって計測された温度と比較されるものと同じ値を用いることができる。
【００８４】
なお、本実施形態のコンセント１０では、刃受ばねブロック４２ａ，４２ｂと、固定端子板８６，８８の両方に温度センサを配置したが、刃受ばねブロック４２ａ，４２ｂ又は固定端子板８６，８８の何れか一方だけに温度センサを配置してもよい。
【００８５】
上述したように本実施形態に係るコンセントの温度センサ取付構造は、差込プラグが挿抜されるコンセント１０における温度計測対象に対して温度センサ５４を取り付ける温度センサ取付構造であって、温度センサ５４と、温度計測対象に対して密接させるように温度センサ５４を押圧する押圧部材とを備える。ここで、押圧部材は、温度センサ５４と温度計測対象とを挟持して押圧するクリップ５６であり、クリップ５６は一対の挟持片５６ａと、各挟持片５６ａを連結する連結部５６ｂとを一体に有することが好ましい。このように温度センサ５４をクリップ５６等の押圧部材で温度計測対象に押圧して密接させることで、温度計測を精度よく行うことができる。
【００８６】
また、本実施形態において、温度センサ５４と温度計測対象との間に熱伝導部材が介在されていてもよい。これにより、温度センサ５４が温度計測対象とより密接に接触することができ、温度計測をより精度良く行うことができる。
【００８７】
また、本実施形態において、温度計測対象は、コンセント１０に外部電源線が接続される固定端子板８６，８８の一部分であるか、差込プラグが挿抜される刃受ばねブロック４２ａ，４２ｂの一部分であるかの少なくとも何れかであることが好ましい。このようにコンセント１０において電流経路を構成する部材の温度を計測することで、コンセント１０の過熱状態を正確かつ迅速に検出することができる。
【００８８】
また、温度センサ５４は、サーミスタ、測温抵抗体、及び熱電対の何れかであり、押圧部材の一例であるクリップ５６はサーミスタ、測温抵抗体、及び熱電対の何れかを温度計測対象に密接させるのが好ましい。
【００８９】
次に、図１６〜図１９を参照して、コンセントの温度取付構造の別例について説明する。図１６は、コンセントの温度センサ取付構造の別例を示す分解斜視図である。図１７は、図１６の温度センサ取付構造の組立斜視図である。図１８は、図１７の温度センサ取付構造を示す一部断面を含む平面図である。図１９は、図１７の温度センサ取付構造においてクリップをカバー部材の突起部で押さえる様子を示す斜視図（一部透明部分を含む）である。
【００９０】
図１６ないし図１８に示すように、刃受ばねユニット４０は、Ｌ相用の刃受ばねブロック４２ａと、Ｎ相用の刃受ばねブロック４２ｂと、これらの刃受ばねブロック４２ａ，４２ｂを収納するボディ部材４４とを備える。各刃受ばねブロック４２ａ，４２ｂは、刃受ばねユニット４０の幅方向中心線であるＢ−Ｂ線に対して対称な形状を有する。以下では、刃受ばねブロック４２ａについて説明するが、刃受ばねブロック４２ｂについても同様である。
【００９１】
刃受ばねブロック４２ａは、２対の刃受ばね４８と、各刃受ばね４８を機械的に連結するとともに電気的に接続する連結部５０と、連結部５０の縁部から前後方向Ｙに沿って折り曲げ形成された接続端子部５２とを一体に有する。接続端子部５２は、断面Ｌ字状に折れ曲がった曲げ部５２ａを有している。そして、接続端子部５２の曲げ部５２ａには、温度センサ５４が取り付けられている。
【００９２】
本実施形態では、温度センサ５４は、クリップ５６によって挟持されて固定されている。これにより、温度センサ５４が温度計測対象である刃受ばねブロック４２ａに密接して配置されている。クリップ５６は、一対の挟持片５６ａと各挟持片５６ａを連結する連結部５６ｂとを一体に有する。このように温度センサ５４がクリップ５６によって挟持されることで温度計測対象である接続端子部５２の曲げ部５２ａに密接した状態で取り付けられる。これにより、温度センサ５４による温度計測精度が向上する。
【００９３】
温度センサ５４は、サーミスタ、測温抵抗体、及び熱電対の何れかで構成されるのが好適である。また、温度センサ５４と接続端子部５２の曲げ部５２ａとの間に熱伝導部材が介在されてもよい。熱伝導部材は、例えば、熱伝導性を有するシートやグリスなどの柔軟で薄い部材で構成されるのが好ましい。このような熱伝導部材を設けることで、温度センサ５４が温度計測対象により密接した状態になりやすく、温度計測精度の向上に寄与することができる。
【００９４】
刃受ばねブロック４２ａ，４２ｂ、温度センサ５４およびクリップ５６は、ボディ部材４４に対して次のように組み付けられる。
【００９５】
絶縁性樹脂成型品で構成されるボディ部材４４には、略直方体状をなしている。ボディ部材４４には、４つの凹部４５が区画形成されている。これらの凹部４５内に刃受ばねブロック４２ａ，４２ｂの４対の刃受ばね４８がそれぞれ収納された状態で、刃受ばねブロック４２ａ，４２ｂがボディ部材４４に組み付けられる。
【００９６】
ボディ部材４４の外周面において幅方向Ｘに対向する両側面には、前方視で長方形状に凹んだセンサ収容部４６がそれぞれ形成されている。センサ収容部４６の内面には、前方視で略コ字状をなす載置部４７が突出して形成されている。この載置部４７は、幅方向Ｘの外側に向かって開口している。
【００９７】
刃受ばねユニット４０の組立の際、図１６に示すように、まず、温度センサ５４がボディ部材４４のセンサ収容部４６内に幅方向Ｘの外側（矢印Ｃ方向）から挿入されて収容される。このとき、温度センサ５４は載置部４７上に載置されて支持され、温度センサ５４から延出する信号線６０ａは載置部４７の開口部に挿入される。
【００９８】
次に、刃受ばねブロック４２ａの接続端子部５２を前後方向Ｙに沿った矢印Ｄ方向からセンサ収容部４６に挿入するようにして刃受ばねブロック４２ａをボディ部材４４に組み付ける。これにより、接続端子部５２の曲げ部５２ａが温度センサ５４とセンサ収容部４６の壁面との間に配置される。
【００９９】
この状態で、クリップ５６を矢印Ｃ方向からセンサ収容部４６内に挿入する。これにより、図１７及び図１８に示すように、温度センサ５４がクリップ５６によって接続端子部５２の曲げ部５２ａに圧接された状態に組み付けられる。もう１つの刃受ばねブロック４２ｂへの温度センサ５４の組み付けも同様に行うことができる。したがって、本実施形態のコンセント１０の刃受ばねユニット４０では、ボディ部材４４に温度センサ５４および刃受ばねブロック４２ａ，４２ｂを組み付けた状態でクリップ５６を挿入することで、刃受ばねブロック４２ａ，４２ｂへの温度センサ５４の取付けをより容易に行うことができる。
【０１００】
上記のように組み付けられた刃受ばねユニット４０は、図１９に示すように、開閉ユニット７０と共にケース１６に収納される。そして、ケース１６の前部を覆ってカバー部材１７が取付けられる。カバー部材１７は、後端部から突出した４つのフック部１７ａを有しており、これらのフック部１７ａがケース１６の側面の係合部２２に係合することによって、ケース１６に組み付けられる。ケース１７の前壁部に形成されている開口部からコンセント本体カバー１２の上部カバー１２ａおよび開閉ユニット７０の操作レバー７１等が露出している。なお、図１９では、ケース１６を透視状態で表すように一点鎖線によって示している。
【０１０１】
このように刃受ばねユニット４０のボディ部材４４を収納するケース１６とカバー部材１７とを備えており、カバー部材１６の内面におけるクリップ５６との対向位置にクリップ５６を押さえる突起部１７ｂが設けられている。この場合、突起部１７ｂは、クリップ５６の連結部５６ｂに当接して押さえる。これにより、刃受ばねブロック４０からクリップ５６が外れるのを確実に防止することができる。
【０１０２】
なお、本開示に係るコンセントの温度センサ取付構造およびその生産方法は、上述した実施形態およびその変形例に限定されるものではなく、本願の特許請求の範囲に記載された事項の範囲内において種々の変更や改良が可能であることは勿論である。
【符号の説明】
【０１０３】
２  化粧カバー、１０  コンセント、１２  コンセント本体カバー（カバー部材）、１２ａ  上部カバー、１２ｂ  下部カバー、１３  取付ピン、１４  コンセント外側カバー（カバー部材）、１４ａ  開口部、１４ｂ  貫通孔、１４ｃ  電源灯部分、１４ｄ  異常灯部分、１５  取付穴、１６  ケース、１７  カバー部材、１７ａ  フック部、１７ｂ  突起部、１８ａ，１８ｂ  栓刃挿入部、２０ａ，２０ｂ  栓刃挿入口、２０ｃ  接地端子挿入口、２２  係合部、２４  底面、２５ａ，２５ｂ  ケース内面、２６  柱部、２７  仕切り壁部、２８，３０，３２  空間、２９  支持突起部、４０  刃受ばねユニット、４２ａ，４２ｂ  刃受ばねブロック（刃受部材）、４４  ボディ部材、４５  凹部、４６  センサ収納部、４７  載置部、４８  刃受ばね、４９  屈曲ばね部、４９ａ  屈曲部、４９ｂ  延伸部、５０  連結部、５２  接続端子部（温度計測対象）、５２ａ  曲げ部、５４，１１２ａ，１１２ｂ  温度センサ、５４ａ  Ｌ相導線、５４ｂ  Ｎ相導線、５６  クリップ、５６ａ  挟持片、５６ｂ  連結部、６０ａ，６０ｂ，６０ｃ，６２ａ，６２ｂ  信号線、７０  開閉ユニット、７１  操作レバー、７２  ハウジング、７３  コイル、７４  可動鉄片、７５  トリガーレバー、７５ａ，７６ａ，７９ａ  軸部、７６  支持レバー、７７  作動板、７８  押圧ばね、７９  作動部材、８１  Ｌ相可動端子板、８２  Ｌ相可動端子部、８３  Ｎ相可動端子板、８４  Ｎ相可動端子部、８６  Ｌ相固定端子板、８６ａ  Ｌ相接続部、８７  Ｌ相固定端子部、８８  Ｎ相固定端子板、８８ａ  Ｎ相接続部、８９  Ｎ相固定端子部、９６  解錠部材、１００  端子部、１０２  接地用端子部、１０４  接地用端子板、１１０  プリント基板、１１４ａ，１１４ｂ  信号線、１２０  基板、１３０  スイッチ盤、１３２  押しスイッチ、１３４  電源灯発光部、１３６  異常灯発光部。
【図１】
2019175837.tif 000003
【図２】
2019175837.tif 000004
【図３】
2019175837.tif 000005
【図４】
2019175837.tif 000006
【図５】
2019175837.tif 000007
【図６】
2019175837.tif 000008
【図７】
2019175837.tif 000009
【図８】
2019175837.tif 000010
【図９】
2019175837.tif 000011
【図１０】
2019175837.tif 000012
【図１１】
2019175837.tif 000013
【図１２】
2019175837.tif 000014
【図１３】
2019175837.tif 000015
【図１４】
2019175837.tif 000016
【図１５】
2019175837.tif 000017
【図１６】
2019175837.tif 000018
【図１７】
2019175837.tif 000019
【図１８】
2019175837.tif 000020
【図１９】
2019175837.tif 000021